(57)【要約】      （修正有）【課題】仕切りをせず断面が円形のメインパイプに、浮上時には空気圧縮機による高圧空気を圧送気し、沈下時には水（海水・淡水）電動式、及びエンジン式ポンプを用いて圧送水して、これらの浮上・沈下作業を短時間で行なう浮沈式生け簀を提供する。【解決手段】内部に、１つの部屋しか存在しない、大・小の曲率半径の異なる複数の環状メインパイプからなる浮力体１，１′をそれぞれ設け、これら浮力体には、空気取入・出口２と、水取入・出口３を、１または複数個設け、浮力体には、適宜な厚みを有し、中空で全体の形状がＬ字状スタンションからなる浮力調整装置４を複数個設置し、浮力調整装置の水平部には、浮力体を抱持する抱持部を設け、また、浮力調整装置の垂直部には、手摺パイプ５を装着し、さらに、浮力調整装置には、圧縮空気取入口を設け、かつ、浮力調整装置の底部には水侵入・侵出口を設けた。【選択図】図１
0003188593.tif 000002
【実用新案登録請求の範囲】
【請求項１】
浮沈式の生け簀において、
内部に、１つの部屋しか存在しない、大・小の曲率半径の異なる複数の環状メインパイプからなる浮力体（１，１′）をそれぞれ設け、
これら浮力体（１，１′）には、それぞれ、空気取入・出口（２）と、水（海水・淡水）取入・出口（３）を、１または複数個設け、
これら浮力体（１，１′）には、適宜な厚みを有し、中空で全体の形状が「Ｌ」字状スタンションからなる浮力調整装置（４）を複数個設置し、
該浮力調整装置（４）の水平部（４ａ）には、前記の浮力体（１，１′）を抱持する抱持部（４ｃ）を設け、
また、浮力調整装置（４）の垂直部（４ｂ）には、手摺パイプ（５）を装着し、
さらに、浮力調整装置（４）には、圧縮空気取入口（７ａ）を設け、
かつ、浮力調整装置（４）の底部には水侵入・侵出口（７ｂ）を設けた
ことを特徴とする浮沈式生け簀。
【請求項２】
浮力体（１，１′）および浮力調整装置（４）が、共に、高耐圧性ポリエチレンを素材としていることを特徴とする請求項１記載の浮沈式生け簀。
【請求項３】
手摺パイプ（５）には、空気取入口（５ａ）を設け、該空気取入口と浮力調整装置（４）の圧縮空気の取入口（７ａ）と連通管（５ｂ）を介して連通することを特徴とする請求項１記載の浮沈式生け簀。
【考案の詳細な説明】
【技術分野】
【０００１】
この考案は、浮沈式生け簀に関するものである。
【背景技術】
【０００２】
従来、海面、湖面等で魚介類の養殖をする場合には、浮沈式の生け簀を設けており、天候の異変、例えば、台風などにより水面が荒れた場合、生け簀をその間、水中に沈めた状態に保持し、波浪による生け簀の破損や魚介類の流出を防止することが行なわれている。  
【０００３】
そして、その浮沈の手段としては、生け簀に気密室を設け、該気密室に水と空気とを置換することにより浮沈動作を可能としている。例えば、特許文献１のように。
【先行技術文献】
【特許文献】
【０００４】
【特許文献１】特開２０１２−２０７４２０号公報
【０００５】
しかしながら、この技術は、中空部材が複数の部屋に区画されており各部屋間には、仕切り壁を設けており、該仕切り壁には流通部を設け、該流通部を通じて水や空気の流出を行なうよう構成されたものであり、沈下・浮上に時間を要するという欠点を有し、緊急時には問題があった。
【考案の概要】
【考案が解決しようとする課題】
【０００６】
そこで、この考案は、仕切りをせず断面が円形のメインパイプに、浮上時には空気圧縮機による高圧空気を圧送気し、沈下時には水（海水・淡水）電動式ポンプ、及びエンジン式ポンプを用いて圧送水して、これらの浮上・沈下作業を短時間で行なうことのできる浮沈式生け簀を提供・開発するものである。
【課題を解決するための手段】
【０００７】
上記の課題を解決するため、浮沈式の生け簀において、内部に、１つの部屋しか存在しない、大・小径の複数の環状メインパイプからなる浮力体を用い、各浮力体には、それぞれ、空気取入・出口と、水（海水・淡水）取入出口とを、１または複数個設け、これら浮力体の周囲には、中空で適宜な厚みを有し、全体の形状が「Ｌ」字状のスタンションからなる浮力調整装置を複数個設置し、該浮力調整装置の垂直部には、手摺パイプを装着し、水平部には、複数の浮力体を包持する包持部を設け、該浮力調整装置の底部には水（海水・淡水）侵入・侵出口を設けた浮沈式生け簀を提供・開発するものである。
【考案の効果】
【０００８】
この考案によると、浮力体は１つの部屋しか存在せず、該穴に空気・水を圧送することにより、迅速に浮力体の浮上・沈下ができるという格別の効果を奏する。
【０００９】
また、浮力体にはスタンションを兼ねた複数の浮力調整装置に空気を入れることにより、浮上・沈下時に平衡性を保つという効果を有するものである。
【００１０】
さらに、手摺パイプは、その一部を浮上・沈下時の排気管、沈下時の浮力調整装置の排水管としても利用できるという極めて有益なる効果を奏するものである。
【図面の簡単な説明】
【００１１】
【図１】この考案の一実施例を示す平面図である。
【図２】この考案の一実施例を示す一部拡大斜視図である。
【図３】この考案の使用状態を示す説明図である。
【考案を実施するための形態】
【００１２】
以下、この考案について詳細に説明する。尚、この考案においては、以下の記述に限定されるものではなく、この考案の要旨を逸脱しない範囲においては適宜変更可能である。
【実施例】
【００１３】
浮沈式の生け簀において、内部に、１つの部屋しか存在しない、大・小の曲率半径の複数の環状メインパイプからなる浮力体（１，１′）をそれぞれ設け、これら浮力体（１，１′）には、それぞれ、空気取入・出口（２）と、水（海水・淡水）取入・出口（３）を、１または複数個設け、これら浮力体（１）には、適宜な厚みを有し、中空で全体の形状が「Ｌ」字状スタンションからなる浮力調整装置（４）を複数個設置し、該浮力調整装置（４）の水平部（４ａ）には、前記の浮力体（１，１′）を抱持する抱持部（４ｃ）を設け、また、浮力調整装置（４）の垂直部（４ｂ）には、手摺パイプ（５）を装着し、さらに、浮力調整装置（４）には、圧縮空気取入口（７ａ）を設け、かつ、浮力調整装置（４）の底部には水侵入・侵出口（７ｂ）を設けた浮沈式生け簀から構成されるものである。  
【００１４】
そして、この考案に係る浮力体（１）は、環状のメインパイプであり、高耐圧ポリエチレン製であり、該浮力体（１）の内部には仕切りをせず、断面形状が円形の１本物のパイプであり、浮上時には、タンク（Ｄ）を介して空気圧縮機（Ｃ）を用いて高圧空気を圧送するための空気取入・出口（２）と、沈下時には、水（海水・淡水）をポンプ（電動式及びエンジン式）（Ｐ）で圧送水する水（海水・淡水）取入・出口（３）を設けている。
【００１５】
そして、これら浮力体（１）は、２本の場合には大・小の曲率半径の異なるメインパイプを用いて二重円状に設置して、該浮力体（１）の円周上に、複数の浮力調整装置（４）を複数個設け、抱持・連結する。図面においては、４個使用した場合を示しているが、この個数には、特に限定しない。
【００１６】
上記浮力調整装置（４）は、それ自体を浮力調整用（開放型）として使用するものである。また、沈下・浮上時に、浮力体（１，１′）の平衡性を保つため、４ケ所の浮力調整装置（４）の圧縮空気取入口（７ａ）より、圧縮空気を入れてバランスをとり、該浮力調整装置（４）の底部の水侵入・侵出口（７ｂ）より水（海水・淡水）を給排水するものである。
【００１７】
なお、浮力体（１）の１つには、該浮力体（１）にそって、円筒状で有底の漁網（Ｎ）を張りめぐらせて装着しており、上部には、必要に応じて魚逃避防止用の網蓋（Ｎ′）で覆うよう構成されている。
【００１８】
次に、生け簀の浮上、沈下方法を説明すると、沈下状態では、環状メインパイプの浮力体（１，１′）、手摺パイプ（５）への空気送風弁及び海水排水弁は、脱着式ホース類（６）で海上に浮上させた状態の弁類に、瞬時に、海上作業船（Ｓ）の機器類と締結する。  
【００１９】
環状メインパイプの浮力体（１，１′）に、空気量、空気圧を調整しながら、魚種、稚魚期、成魚期に合わせて、浮上速度を調整し、空気を手動または自動で注入する。環状メインパイプの浮力体（１，１′）の排水は、送水弁の１８０度反対方向の上下の排水弁より排出する。
【００２０】
〔浮上時の生け簀の平衡浮上操作について〕
浮上式生け簀の傾きは、４ケ所の浮力調整装置（４）に、圧縮空気を送風調整して浮上時の平衡を保ちつつ浮上させる。
【００２１】
浮上時は、浮力調整装置（４）の４ケ所（１ケ所は２個）へ圧縮空気を送気するが、その方法は、該浮力調整装置（４）の圧縮空気取入口（７ａ）と、手摺パイプ（５）の取り付け口（５ａ）とを連通管（５ｂ）を利用して送気する。
【００２２】
浮力調整装置（４）内の排水は、該浮力調整装置（４）の底部に設けた水侵入・侵出口（７ｂ）を利用して海中に強制排水する。
【００２３】
完全に浮上式生け簀が浮上した時には、浮力体（１）の完全排水と手摺パイプ（５）内を利用して海水排水を確認して浮上作業完了とする。
【００２４】
〔浮上生け簀敷設時〕
完全浮上し、浮力体（１）、手摺パイプ（５）、連通管（５ｂ）内の残海水は、圧縮空気の風圧により強制排水し、給水弁、送風弁、排出弁を完全に「閉」状態で、浮上生け簀として使用する。
【００２５】
接続ホース類は、着脱式とし、ホース類（６）は撤去し、次回使用に期して整備して格納しておき、機器類は塩分を完全に除去し清掃して格納するものである。
【００２６】
〔機器管理〕
格納されたエンジンポンプ及びエンジン搭載コンプレッサーは、月に一度は、エンジンを稼働し、緊急時に備えてメンテナンスする必要がある。
【００２７】
〔沈下時〕
生け簀が浮上状態の生け簀自体を沈下する手順
浮力体（１）及び手摺パイプ（５）内の連通管に常設された空気送風弁及び海水排水弁に、着脱式ホース類の弁類に、瞬時に、海上作業船の機器類と締結する  
【００２８】
次に、浮上、沈下方法を説明すると、生け簀が沈下状態では、浮力体（１）、手摺パイプ（５）への空気送風弁及び海水排水弁は、脱着式ホース類（６）で海上に浮上させた状態の弁類に、瞬時に、海上作業船（Ｓ）の機器類と締結する。
【産業上の利用可能性】
【００２９】
この考案によると、浮沈式生け簀の技術を確立し、実施・販売することにより産業上の利用可能性がある。
【符号の説明】
【００３０】
１，１′  浮力体
２  空気取入・出口
３  水取入・出口
４  浮力調整装置
４ａ  垂直部
４ｂ  水平部
４ｃ  抱持部
４ｄ  圧縮空気取入口
５  手摺パイプ
５ａ  取り付け口
５ｂ  連通管
６  ホース類
７ａ  圧縮空気取入口
７ｂ  水侵入・侵出口
Ｃ  コンプレッサー
Ｄ  タンク
Ｎ  漁網
Ｎ′網蓋
Ｐ  ポンプ
Ｓ  海上作業船
【図１】
0003188593.tif 000003
【図２】
0003188593.tif 000004
【図３】
0003188593.tif 000005